(57)【要約】      （修正有）【課題】組立工数を減少しかつコストダウンを実現しながら、原稿から発生する紙粉等の異物の画像読取装置への進入を防ぐ。【解決手段】上部にコンタクトガラスが形成された本体部と、原稿をコンタクトガラスに向けて所定の副走査方向に搬送するための原稿給紙装置と、を有する画像形成装置の画像読取装置において、画像読取装置は、原稿の画像を読み取る画像読取部と、コンタクトガラスの原稿排出側に隣接して配置され、コンタクトガラスに隣接した一端がコンタクトガラスの上面よりも低く、コンタクトガラスから遠ざかるにしたがって高くなるように形成された搬送ガイド部５５ａおよびコンタクトガラスの下面側に突出した支持部５５ｂと、を含む原稿搬送部５５と、を備え、支持部の上面側には、主走査方向に延伸する凹部５５ｃが形成される。【選択図】図４
2010219952.tif 000002
【特許請求の範囲】
【請求項１】
上部にコンタクトガラスが形成された本体部と、原稿を前記コンタクトガラスに向けて所定の副走査方向に搬送するための原稿給紙装置と、を有する画像形成装置の画像読取装置であって、
前記副走査方向と直交する主走査方向に沿って設定された読み取りラインにおいて光を照射し前記原稿から反射された照射光に基づいて前記原稿の画像を読み取る画像読取部と、
前記コンタクトガラスの原稿排出側に隣接して配置され、前記コンタクトガラスに隣接した一端が前記コンタクトガラスの上面よりも低く、前記コンタクトガラスから遠ざかるにしたがって高くなるように形成された搬送ガイド部と、前記コンタクトガラスの下面側に突出した支持部とを、含む原稿搬送部と、を備え、
前記支持部の上面側には、前記主走査方向に延伸する凹部が形成される、画像形成装置の画像読取装置。
【請求項２】
前記支持部は最大通紙幅より長い、請求項１に記載の画像形成装置の画像読取装置。
【請求項３】
前記主走査方向に向かって前記凹部に風を送る送風手段をさらに備える、請求項１又は２に記載の画像形成装置の画像読取装置。
【請求項４】
前記送風手段と前記画像読取部を挟んで対向するように設けられた回収手段をさらに備える、請求項３に記載の画像形成装置の画像読取装置。
【請求項５】
前記原稿搬送部は、前記コンタクトガラスの原稿排出側と所定の間隔をあけて配置される、請求項１から４のいずれかに記載の画像読取装置。
【請求項６】
請求項１から５のいずれかに記載の画像読取装置と、
前記画像読取装置で読み取られた原稿の画像情報に基づいて用紙に画像を形成する画像形成部と、
を備えた画像形成装置。
【発明の詳細な説明】
【技術分野】
【０００１】
本発明は、画像読取装置、特に原稿搬送部を備える画像読取装置に関する。
【背景技術】
【０００２】
従来の複写機等の画像形成装置において、複数枚の原稿を１枚ずつ原稿台に向けて給紙可能な原稿給紙装置（以下、ＤＰという）と、光源、ミラーおよびＣＣＤセンサ等で構成された画像読取装置と、ＤＰと画像読取装置との間に配置され、原稿台の原稿読み取り位置に設けられたＤＰ用コンタクトガラスとを備えたものがある。このような画像形成装置では、ユーザによるコピーまたはスキャンの指示に応じて、ＤＰにセットされた原稿がＤＰ用コンタクトガラスまで搬送される。そして、搬送された原稿には光源から光が照射され、その反射光をＣＣＤセンサが読み取ることで原稿画像の読み取りが行われる。
【０００３】
ＤＰを備えた画像形成装置では、ＤＰ用コンタクトガラスに隣接して原稿搬送ガイドが設けられている。原稿搬送ガイドは、ＤＰ用コンタクトガラスを通過した原稿を所定の排出部にまで送り出すものであり、上面側に傾斜したガイド面を有する。
【０００４】
このような画像形成装置では、従来より、原稿から発生する紙粉等の異物がＤＰ用コンタクトガラスと原稿搬送ガイドとの間から画像読取装置内に進入するという問題があった。画像読取装置に異物が進入すると、画像読取装置内に配置されたミラーの反射面に異物が付着し、縦筋状の画像不良の発生の原因となる。
【０００５】
そこで、ＤＰ用コンタクトガラスの一側に別部材を貼付し、この別部材によって異物の画像読取装置内への進入を防ぐ技術が提案されている。図６に、従来の原稿搬送ガイドおよびＤＰ用コンタクトガラスを示す。図６に示されているように、ＤＰ用コンタクトガラス１５１ａの一側にはスポンジ等の別部材１５２が貼り付けられる。そして原稿搬送ガイド１５３は、その別部材１５２に対応する窪みを有し、別部材１５２を覆うようにしてＤＰ用コンタクトガラス１５１ａと組み合わされる。
【先行技術文献】
【特許文献】
【０００６】
【特許文献１】特開２０００−８２７８６号公報
【発明の概要】
【発明が解決しようとする課題】
【０００７】
しかし、上記のような従来の技術では、異物進入を防止するためにスポンジ等の別部材だけでなく、別部材をＤＰ用コンタクトガラス面に貼り付けるため接続部材を要することから、コスト高を招いていた。また、別部材をＤＰ用コンタクトガラスに直接貼り付ける工程を要するため、画像読取装置全体の組立工数が増えるという問題が生じていた。
【０００８】
本発明の課題は、原稿搬送部と画像読取手段を有する画像読取装置において、組立工数を減少しかつコストダウンを実現しながら、原稿から発生する紙粉等の異物の画像読取手段への進入を防ぐことにある。
【課題を解決するための手段】
【０００９】
請求項１に係る画像読取装置は、上部にコンタクトガラスが形成された本体部と、原稿をコンタクトガラスに向けて所定の副走査方向に搬送するための原稿給紙装置と、を有する画像形成装置の画像読取装置であって、画像読取部と、原稿搬送部とを備える。画像読取部は、副走査方向と直交する主走査方向に沿って設定された読み取りラインにおいて光を照射し原稿により反射された照射光に基づいて原稿の画像を読み取る。原稿搬送部は、コンタクトガラスの原稿排出側に隣接して配置され、コンタクトガラスに隣接した一端がコンタクトガラスの上面よりも低く、コンタクトガラスから遠ざかるにしたがって高くなるように形成された搬送ガイド部と、コンタクトガラスの下面側に突出した支持部とを含む。そして、支持部の上面側には、主走査方向に延伸する凹部が形成される。
【００１０】
ここでは、コンタクトガラスの下面側に突出した支持部が原稿搬送部に設けられ、その支持部には主走査方向に延伸した凹部が形成される。従って、原稿から発生する紙紛等の異物がコンタクトガラスと原稿搬送部との間から下へ進入したとしても、支持部の凹部が異物を受け止めることができる。よって、画像読取部への異物の侵入を防ぐことができる。また、凹部は原稿搬送部の支持部に設けられているので、コンタクトガラスにスポンジ等の別部材を貼り付けていた従来技術に比べ、画像読取装置の組立工数を減らすことができ、且つ別部材にかかるコストを削減することができる。
【００１１】
請求項２に係る画像形成装置の画像読取装置は、請求項１に記載の装置であって、支持部の長さは最大通紙幅より長い。
【００１２】
通常、特に原稿のエッジ部分に紙紛等の異物が発生しやすい。しかし、ここでは、支持部は最大通紙幅より長くなるように設けられる。従って、原稿の主走査方向における両端部分から発生する異物が画像読取部へ侵入することを防ぐことができる。
【００１３】
請求項３に係る画像形成装置の画像読取装置は、請求項１又は２に記載の装置であって、主走査方向に向かって凹部に風を送る送風手段をさらに備える。
【００１４】
ここでは、送風手段を備え、凹部に風を送り込むことによって、凹部に落下した異物を凹部から排出することができる。従って、原稿から発生する紙紛等の異物がコンタクトガラスと原稿搬送部との間から落下しても、異物を凹部で受け止めることができるだけでなく、さらに凹部が異物で満杯になることを防ぐことができる。
【００１５】
請求項４に係る画像形成装置の画像読取装置は、請求項３に記載の装置であって、送風手段と画像読取部を挟んで対向するように設けられた回収手段をさらに備える。
【００１６】
ここでは、回収手段を備えることにより、送風手段によって凹部から排出された異物を回収手段によって回収することができる。従って、画像形成装置のメンテナンス時において異物の回収を容易に行うことができる。
【００１７】
請求項５に係る画像形成装置の画像読取装置は、請求項１から４のいずれかに記載の装置であって、原稿搬送部は、コンタクトガラスの原稿排出側と所定の間隔をあけて配置される。
【００１８】
原稿搬送部の搬送ガイド部は、コンタクトガラスに隣接した一端がコンタクトガラスの上面よりも低く、コンタクトガラスから遠ざかるにしたがって高くなるように形成されている。従って、コンタクトガラスに隣接した一端側に異物がたまりやすいが、たまった異物がコンタクトガラスの上面側に移動したりすると、原稿読み取りの際の筋状のノイズの原因となり得る。
【００１９】
ここでは、コンタクトガラスと原稿搬送部とを所定の間隔を開けて配置し、コンタクトガラスと原稿搬送部との間にたまる異物を原稿搬送部の凹部に積極的に落とすことによって、異物を凹部で受け止めることができるだけでなく、原稿読み取りの際の筋状のノイズの発生を防ぐことができる。
【００２０】
請求項６に係る画像形成装置は、請求項１から５のいずれかに記載の画像読取装置と、画像読取装置で読み取られた原稿の画像情報に基づいて用紙に画像を形成する画像形成部と、を備える。
【発明の効果】
【００２１】
以上のような本発明によれば、原稿読取部と原稿搬送部を有する画像読取装置において、画像読取装置の組立工数を減少しかつコストダウンを実現しながら、原稿から発生する紙紛等の異物が画像読取装置の画像読取部内に進入することを防ぐことができる。
【図面の簡単な説明】
【００２２】
【図１】本発明の第１実施形態による複写機の外観図。
【図２】原稿送り装置と画像読取装置を示す縦断面図。
【図３】画像読取装置における原稿搬送部の周辺の外観構成を示す部分拡大図。
【図４】第１実施形態における流し読み用コンタクトガラスおよび原稿搬送部を示す要部縦断面図。
【図５】他の実施形態（ａ）による画像読取装置における原稿搬送部の周辺の外観構成を示す部分拡大図。
【図６】他の実施形態（ｂ）における流し読み用コンタクトガラスおよび原稿搬送部を示す要部縦断面図。
【図７】従来の流し読み用コンタクトガラスと原稿搬送ガイドの縦断面図。
【発明を実施するための形態】
【００２３】
１．第１実施形態
[複写機の構成]
図１は、本実施形態に係る画像形成装置としての複写機の外観図である。複写機１は、用紙等の記録媒体に画像形成を行う装置であって、スキャナ装置、プリンタ、ファクシミリ装置としての機能を有する。図１に示すように、複写機１は、本体２と原稿送り装置３とを備える。そして本体２は、操作パネル４、画像読取装置５、給紙部６、画像形成部７、排紙部８、図示しない制御部、通信部及び他の入出力部を備えている。
【００２４】
原稿送り装置３は、複数枚の原稿を連続して原稿台上の所定の原稿読取位置に搬送するためのものであり、本体２の画像読取装置５側に開閉自在に装着されている。原稿送り装置３の詳細は後述する。
【００２５】
操作パネル４は、印刷や原稿読取の開始を指示するためのスタートキー４ａや、印刷条件の設定等を行うためのテンキー４ｂ等を有している。また、操作パネル４は、種々の操作画面が表示されるタッチパネル式の液晶ディスプレイ４ｃを有している。
【００２６】
画像読取装置５は、原稿台上に載置される原稿や所定の原稿読取位置に搬送される原稿に記録された画像情報を読み取るためのものであり、原稿台、ＣＣＤセンサ、光学系等を有する。画像読取装置５で読み取られた画像情報は、画像データとして制御部のメモリに保存される。画像読取装置５の詳細は後述する。
【００２７】
給紙部６は、給紙カセット６ａ、６ｂ、６ｃに収納された用紙や、手差しトレイ９にセットされた用紙を１枚ずつ給紙するためのものであり、図示しないローラ及び駆動モータを有している。
【００２８】
画像形成部７は、電子写真方式を採用して用紙に画像を形成する部分であり、図示しない感光体ドラム、帯電器、露光装置、現像装置、転写装置、定着装置等を有している。
【００２９】
排紙部８は、定着装置でトナー像が溶融定着された用紙を本体２の外側に配置された排紙トレイ１０上に排出するためのものであり、ローラ及び駆動モータを有している。
【００３０】
制御部（図示せず）は、画像読取部、画像形成部等の入出力部の制御を行うとともに、画像情報に対し所定の画像処理を行う。また、制御部は、原稿送り装置の駆動部の制御を行う。制御部は、ＣＰＵ、メモリを有するマイクロコンピュータで構成され、メモリには、ＣＰＵに実行させるための種々のプログラムデータが格納されるほか、画像情報が蓄積される。
【００３１】
通信部（図示せず）は、外部のコンピュータ、ファクシミリ等との間で通信を行うためのものであり、ネットワークＩ／Ｆや、ＦＡＸ／回線制御部を有している。
【００３２】
複合機１は、他の入出力部として、転写後の感光体ドラム表面に残留するトナーを回収するクリーニング装置、トナーカートリッジから現像ユニットにトナーの補給を行うトナー補給機構、両面印刷時等に用紙を反転させるための用紙反転機構（いずれも図示せず）等をさらに備えている。
[原稿送り装置]
次に、原稿送り装置３について説明する。図２は、原稿送り装置と画像読取装置を示す縦断面図である。以下の説明において、主走査方向とは、画像情報の読み取りのための光の走査方向をいい、副走査方向とは主走査方向に直交する方向、すなわち原稿送り装置３によって原稿が搬送される方向のことをいう。
【００３３】
原稿送り装置３は、本体２の上部に開閉自在に装着されている。図２に示すとおり、原稿送り装置３は、原稿テーブル３１、給紙ローラ３２、分離コロ３３、レジストスイッチ３４、レジストローラ３５、排出ローラ対３６、原稿排紙用トレイ３７、原稿押さえ部３８及び図示しない駆動部を備えている。
【００３４】
原稿テーブル３１には、複数の原稿３０を積載してセットすることができる。
【００３５】
給紙ローラ３２は、分離コロ３３に対向して配置されており、原稿テーブル３１にセットされた原稿３０の束から原稿を１枚ずつ給紙する。
【００３６】
レジストスイッチ３４及びレジストローラ３５は、原稿３０の斜め送りを防止するために、原稿の読取位置に搬送される前に原稿の先端を揃えるためのものである。
【００３７】
排出ローラ対３６は、後述するＣＣＤ５４による画像の読み取りが終わると、回転駆動され、原稿排紙用トレイ３７に原稿を排出する。
【００３８】
原稿押さえ部３８は、後述する原稿台用コンタクトガラス５１ｂ上に載置された原稿をおさえる。
【００３９】
駆動部は、給紙ローラ３２、分離コロ３３、レジストローラ３５、排出ローラ対３６を回転駆動するためのモータを有する。これら駆動は、前述の制御部によって制御される。
【００４０】
[画像読取装置]
次に、画像読取装置５について再び図２を用いて説明する。
【００４１】
画像読取装置５は、副走査方向に連続的に搬送される複数の原稿の画像情報を読み取り可能な装置である。画像読取装置５は、本体２の上部分に配置されており、原稿台５１と、画像読取部としての光源５２、光学系ユニット５３およびＣＣＤ５４と、原稿搬送部５５を備える。
【００４２】
原稿台５１は、流し読み用コンタクトガラス５１ａと、原稿台用コンタクトガラス５１ｂとを有している。流し読み用コンタクトガラス５１ａは、原稿送り装置３によって搬送される原稿が読み取られる部分であって、副走査方向に所定の幅を有しており、複数の読み取り位置が副走査方向に並んで配置される。原稿台用コンタクトガラス５１ｂは、原稿送り装置３の原稿押さえ部３８によって押さえられた原稿が読み取られる部分である。
【００４３】
光源５２は、原稿台５１の下方に配置され、原稿台５１上に載置された原稿に光を照射する。
【００４４】
光学系ユニット５３は、第１ミラー５３ａ、第２ミラー５３ｂ、第３ミラー５３ｃ及びレンズ５３ｄからなり、図２の一点鎖線で示す光路を形成する。
【００４５】
ＣＣＤ５４は、第３ミラー５３ｃにより反射されレンズ５３ｄによって収束された反射光を受光することにより、所定の画像情報を読み取る。読み取られた画像情報はデジタル化され、所定の画像処理が行われる。
【００４６】
原稿搬送部５５は、流し読み用コンタクトガラス５１ａ上を通過した原稿を上方に向かって案内し、原稿排紙用トレイ３７へと原稿を排紙するようにするものである。原稿搬送部５５は、原稿搬送方向の上流側に流し読み用コンタクトガラス５１ａと隣接して配置される。本実施形態では、原稿搬送部５５は、原稿サイズ指示部５６（図３および図４参照）を有し、原稿台用コンタクトガラス５１ｂに載置される原稿のサイズの指標の役割も兼ねる。原稿搬送部５５の詳細は後述する。
【００４７】
以上のような複写機１においては、以下のような画像形成動作が実行される。この画像形成動作は通常の動作と同様であるので、簡単に説明する。
【００４８】
すなわち、ユーザが原稿送り装置３の原稿テーブル３１に原稿３０をセットするか、あるいは原稿台５１の原稿台用コンタクトガラス５１ｂ上に原稿をセットし、操作パネル４のスタートキー４ａを押すと、原稿の画像が画像読取装置５によって読み取られる。原稿テーブル３１にセットされた原稿の画像を読み取る場合は、原稿テーブル３１上の原稿３０が１枚ずつ送り出され、この原稿送り装置３内に設けられた原稿読み取り位置において原稿の画像が読み取られる。この原稿送り装置３において原稿の画像を読み取る場合は、画像読取装置５における光学系ユニット５３は、一時的に固定される。また、原稿台５１の原稿台用コンタクトガラス５１ｂ上に配置された原稿の画像を読み取る場合は、光学系ユニット５３等によって原稿が走査されて原稿の画像が読み取られる。
【００４９】
そして、読み取られた画像データに基づいて感光体ドラムの表面に静電潜像が形成され、この静電潜像は現像器によって現像される。この処理によって得られたトナー像は、転写器よって用紙に転写される。その後、用紙上のトナー像は定着装置によって定着されて排紙トレイ１０に排出される。
【００５０】
なお、流し読み用コンタクトガラス５１ａ上を通過し画像が読み取られた原稿は、排出ローラ対３６を経由して原稿排紙用トレイ３７に排出される。
【００５１】
＜原稿搬送部＞
次に、画像読取装置５の原稿搬送部５５について図３および図４を用いて詳細に説明する。図３は、画像読取装置における原稿搬送部の周辺の外観構成を示す部分拡大図である。図４は、流し読み用コンタクトガラスおよび原稿搬送部を示す要部縦断面図である。以下の説明において、流し読み用コンタクトガラス５１ａの上面とは、原稿送り装置３が本体２に対して閉じられたときに原稿送り装置３と対面する側の面をいい、流し読み用コンタクトガラス５１ａの下面とは、前述の上面とは反対の画像読取装置５側の面のことをいう。
【００５２】
原稿搬送部５５は、原稿搬送方向の上流側で流し読み用コンタクトガラス５１ａと隣接し、下流側でコンタクトガラス５１ｂと隣接するように配置されている。原稿搬送部５５は、搬送ガイド部５５ａと、凹部５５ｃが形成された支持部５５ｂと、を有する。本実施形態の原稿搬送部５５は、さらに原稿サイズ指示部５６を有する。
【００５３】
搬送ガイド部５５ａは、原稿送り装置３から搬送され流し読み用コンタクトガラス５１ａ上を通過した原稿を上方に向かって案内するものであって、副走査方向に所定の幅を有して形成される。搬送ガイド部５５ａの流し読み用コンタクトガラス５１ａと隣接する一端は、流し読み用コンタクトガラス５１ａの上面よりも下側に位置し、流し読み用コンタクトガラス５１ａから遠ざかるにつれて高くなるように傾斜状に形成される。
【００５４】
支持部５５ｂは、流し読み用コンタクトガラス５１ａの下面側に、主走査方向全体に渡ってその上面が流し読み用コンタクトガラス５１ａの下面と略平行するように突出して形成される。本実施形態では、支持部５５ｂの主走査方向の長さは、複写機１で通紙可能な主走査方向に対する最大通紙幅より長く設けられる。ここでは、Ａ４幅（２９７ｍｍ）を最大通紙幅であるとし、支持部５５ｂはＡ４幅（２９７ｍｍ）より長く設けられる。
【００５５】
原稿台用コンタクトガラス５１ｂの下面側と隣接する支持部５５ｂの上面には、主走査方向に延伸した凹部５５ｃが形成される。本実施形態では、凹部５５ｃは支持部５５ｂの上面において主走査方向に貫通して形成される。支持部５５ｂにおける凹部５５ｃ以外の上面は、流し読み用コンタクトガラス５１ａの下面と接触していて、凹部５５ｃを副走査方向に密閉する。また、支持部５５ｂは、副走査方向において、読み流し用コンタクトガラス５１ａの端部に通常施される面取り部の幅より大きく、かつ流し読み用コンタクトガラス５１ａの原稿読み取り位置に進入しない程度に突出するよう設けられている。本実施形態では、上述のように凹部５５ｃは支持部５５ｂの上面において主走査方向に貫通しているが、主走査方向に延伸して設けられていればこの例には限定されない。例えば、凹部５５ｃの主走査方向における両端部分は密閉されていてもよい。
【００５６】
原稿サイズ指示部５６は、原稿台用コンタクトガラス５１ｂ上に載置される原稿の設置位置の基準になるとともに、原稿のサイズの指標となるものである。原稿サイズ指示部５６は、搬送ガイド部５５ａの最も高い頂点部より連続して形成された板状の部材であって、頂点部より低い位置に原稿台用コンタクトガラス５１ｂを覆うように配置されている。
【００５７】
前述のように、搬送ガイド部５５ａは、流し読み用コンタクトガラス５１ａと隣接する一端が流し読み用コンタクトガラス５１ａの上面よりも下側に位置した傾斜状に形成される。これは、流し読み用コンタクトガラス５１ａ上を通過した原稿を円滑に上側に搬送することができるようにするためである。しかし一方で、このような流し読み用コンタクトガラス５１ａと隣接する搬送ガイド部５５ａの一端部分Ａには、原稿から発生する紙粉等の異物がたまりやすい。すると、流し読み用コンタクトガラス５１ａと原稿搬送部５５との間から異物が落下することがある。特に、メンテナンス等のために流し読み用コンタクトガラス５１ａを取り外す場合には、たまった異物が流し読み用コンタクトガラス５１ａと原稿搬送部５５との間から落下し光学系ユニット５３等に進入しやすくなる。
【００５８】
しかし、本実施形態では、流し読み用コンタクトガラス５１ａの下面側には支持部５５ｂが設けられ、その支持部５５ｂには主走査方向に貫通した凹部５５ｃが形成される。従って、異物が流し読み用コンタクトガラス５１ａと原稿搬送部５５との間から落下したとしても、支持部５５ｂの凹部５５ｃに落とし込むことができる。よって、光学系ユニット５３等の画像読取部に異物が侵入することを防ぐことができる。また、凹部５５ｃは原稿搬送部５５の支持部５５ｂに設けられているので、流し読み用コンタクトガラス５１ａにスポンジ等の別部材を貼り付けていた従来技術に比べ、画像読取装置５の組立工数を減らすことができ、且つ別部材にかかるコストを削減することが出来る。さらに、本実施形態では、主走査方向における支持部の長さは、主走査方向に対する最大通紙幅より長く設けられている。通常、特に原稿のエッジ部分に紙紛等の異物が発生しやすいが、このような支持部を備えることによって、原稿の走査方向における両端部分から発生する異物が画像読取部へ侵入することを防ぐことができる。
【００５９】
２．他の実施形態
(ａ)本発明の画像読取装置５は、凹部５５ｃに風を送り、凹部５５ｃに落下した紙等の異物を凹部５５ｃから排出するための送風手段を備えていてもよい。また、送風手段によって排出された異物を回収するための回収手段をさらに備えていてもよい。
【００６０】
図５は、他の実施形態（ａ）による画像読取装置における原稿搬送部の周辺の外観構成を示す部分拡大図である。本実施形態は、送風手段及び回収手段を有する他は前述の第１実施形態と同様の構成を有する。従って、第１実施形態と同様の構成については同じ符号を用いて説明する。また図５に示す点線矢印は、風の流れ方向を示す。
【００６１】
図５に示すように、画像読取装置５おける主走査方向の一側部には、凹部５５ｃ内に風を送る送風手段としてのファン５６が配置される。また、画像読取装置５の光源５２、光学系ユニット５３およびＣＣＤ５４（図２参照）を含む画像読取部を挟んでファン５６と対向する位置には、回収手段としての回収タンク５７が配置される。ここでは、回収タンク５７は、ファン５６が配置された画像読取装置５の一側部とは主走査方向において反対の他側部に、画像読取装置５に対して着脱可能に設けられる。
【００６２】
ファン５６からの風は、ファン５６から連結された図示しないダクトを経由して凹部５５ｃに流し込まれる。その後風は凹部５５ｃを通り抜けるとともに、凹部５５ｃ内に落下した異物を凹部５５ｃから排出する。排出された異物は、凹部５５ｃの一端部と回収タンク５７とを結ぶ図示しない回収管を介して回収タンク５７に回収される。
【００６３】
このように、ファン５６によって凹部５５ｃ内に風を送り込むことによって、凹部５５ｃ内の異物を凹部５５ｃから排出できる。従って、凹部５５ｃ内が異物で満杯になることを防ぐことができる。また、ファン５６からの風によって異物は回収タンク５７内に送り込まれるので、複写機１のメンテナンス時において異物の回収を容易に行うことができる。
【００６４】
なお、送風手段は凹部５５ｃ内に風を流し込めるものであれば、種々の変形が可能である。また、回収手段は凹部５５ｃからの異物を回収し貯留できるものであればよく、同様に種々の変形が可能である。
【００６５】
(ｂ)図５に示すように、原稿搬送部５５は流し読み用コンタクトガラス５１ａの原稿排出側と所定の間隔をあけて配置されていてもよい。図５は、他の実施形態（ｂ）における流し読み用コンタクトガラスおよび原稿搬送部を示す要部縦断面図である。なお、図４と同じ構成については同じ符号を用いて説明する。
【００６６】
ここでは、原稿搬送部５５ａは流し読み用コンタクトガラス５１ａの原稿排出側と所定の間隔Ｄをあけて配置される。
【００６７】
前述のとおり、流し読み用コンタクトガラス５１ａと隣接する搬送ガイド部５５ａの一端部分Ａには、原稿から発生する紙粉などの異物がたまりやすい。そして、一端部分Ａに溜まった異物を除去しないままにしておくと、異物が流し読み用コンタクトガラス５１ａの上面に移動し、原稿読み取りの際の筋状のノイズの原因となりうる。
【００６８】
しかし、このように流し読み用コンタクトガラス５１ａと搬送ガイド部５５ａとを所定の間隔Ｄを開けて配置することによって、搬送ガイド部５５ａの一端部分Ａに集まる異物を積極的に凹部５５ｃに落とすことができる。従って、上記のようなノイズの発生を防ぐことができる。
【００６９】
なお、所定の間隔Ｄは、流し読み用コンタクトガラス５１ａと搬送ガイド部５５ａの間の主走査方向全体に渡って設けられていてもよいし、一部に設けられていてもよい。
【００７０】
(ｃ)本発明の画像読取装置の適用は、複写機に限定されるものではなく、他の画像形成装置においても同様に適用することができる。
【符号の説明】
【００７１】
１  複写機
２  本体
３  原稿送り装置
４  画像形成部
５  画像読取装置
５１ａ  流し読み用コンタクトガラス
５１ｂ  原稿台用コンタクトガラス
５５  原稿搬送部
５５ａ  搬送ガイド
５５ｂ  支持部
５５ｃ  凹部
５６  ファン
５７  回収タンク
【図１】
2010219952.tif 000003
【図２】
2010219952.tif 000004
【図３】
2010219952.tif 000005
【図４】
2010219952.tif 000006
【図５】
2010219952.tif 000007
【図６】
2010219952.tif 000008
【図７】
2010219952.tif 000009